(57)【特許請求の範囲】
【請求項１】
生ごみを収納して攪拌乾燥処理する回転乾燥釜と、
上記回転乾燥釜内に投入された生ごみを加熱乾燥する加熱手段と、
上記回転乾燥釜をぜんまいを動力源とする機械的駆動力で回転する回転駆動手段と、
上記回転乾燥釜で乾燥処理された乾燥生ごみを人的トルクで粉砕処理する手動粉砕手段と
を備えたことを特徴とする厨芥処理装置。
【請求項２】
上記回転駆動手段による回転乾燥釜の回転を間欠回転する回転規制手段を備えたことを特徴とする請求項１記載の厨芥処理装置。
【請求項３】
上記手動粉砕手段の粉砕処理動作時に上記回転駆動手段のぜんまいを巻き込んで動力を蓄蔵する連動手段を備えたことを特徴とする請求項１記載の厨芥処理装置。
【発明の詳細な説明】
【０００１】
【発明の属する技術分野】
この発明は、厨房で発生する調理屑、食べ残し等の生ごみを簡便に処理して軽量化及び減量化できる家庭用に適した厨芥処理装置に関する。
【０００２】
【従来の技術】
従来のこの種の厨芥処理装置としては、たとえば、実開昭６３−１９１９２号公報及び特開平５−１４６７７３号に示されているように、生ごみを投入した回転容器をモータで回転させながらマイクロ波で乾燥処理するようにしたもの、又は特開平６−１５９９３５号公報に示されているように、生ごみを投入した回転容器をモータで回転させながらヒータによる加熱とその熱風とにより乾燥処理するようにしたもの等がある。
【０００３】
【発明が解決しようとする課題】
上記従来の技術は、いずれも回転容器をモータで回転駆動する構造となっており、加熱源としてはマイクロ波発振器を用いるか、ヒータとファンの併用構造となっている。したがって、モータ、マイクロ波発振器、ヒータ、ファンのすべてに電源が必要であるから、設置場所が限定され、かつ、これらの部品は相当高価なものであると同時に消費電力も多いために構造の複雑化と相まって装置自体が著しく高価となるという問題点があった。また、上記従来の技術には乾燥生ごみを粉砕処理して減量化するという技術はない。
以上の問題点が厨芥処理装置の一般家庭への普及を大きく阻害している要因となっている現状である。
そこで、この発明は上記課題を解決し、家庭用に適した安価で簡便な厨芥処理装置の提供を目的とする。
【０００４】
【課題を解決するための手段】
上記課題を解決するこの発明の第１の厨芥処理装置は、
生ごみを収納して攪拌乾燥処理する回転乾燥釜と、
上記回転乾燥釜内に投入された生ごみを加熱乾燥する加熱手段と、
上記回転乾燥釜をぜんまいを動力源とする機械的駆動力で回転する回転駆動手段と、
上記回転乾燥釜で乾燥処理された乾燥生ごみを人的トルクで粉砕処理する手動手段と
を備えたことを要旨とする。
上記構成を有するこの発明の第１の厨芥処理装置は、生ごみが投入された回転乾燥釜は回転駆動手段のぜんまいを動力源とする機械的駆動力で回転し、回転乾燥釜内の生ごみを上下反転して攪拌すると同時に加熱手段で加熱されて乾燥処理され軽量化される。また、上記乾燥処理された乾燥生ごみは手動粉砕手段により人的トルクで粉砕処理され減量化される。この結果、生ごみの乾燥処理と併せて乾燥生ごみの粉砕処理が簡便に行いうる安価な厨芥処理装置が提供できる。
【０００５】
上記課題を解決するこの発明の第２の厨芥処理装置は、
上記第１の発明の回転駆動手段による回転乾燥釜の回転を間欠回転する回転規制手段を備えたことを要旨とする。
上記構成を有するこの発明の第２の厨芥処理装置は、回転乾燥釜を回転規制手段により間欠回転させるから、攪拌で上下反転した生ごみの新しい部分の乾燥する時間がとれる。この結果、生ごみの乾燥処理が効率的に行いうる。
【０００６】
上記課題を解決するこの発明の第３の厨芥処理装置は、
上記第１の発明の手動粉砕手段の粉砕動作時に上記回転駆動手段のぜんまいを巻き込んで動力を蓄蔵する連動手段を備えたことを要旨とする。
上記構成を有するこの発明の第３の厨芥処理装置は、手動粉砕手段で乾燥生ごみを人的トルクによって粉砕する時に連動手段を介して回転駆動手段のぜんまいを巻き込んでその動力を蓄蔵する。この結果、その都度ぜんまいを巻き込む手間が省ける利便がある。
【０００７】
【発明の実施の形態】
生ごみを収納して攪拌乾燥処理する回転乾燥釜として、金属又は合成樹脂等の耐熱物質で作られた釜を用い、この釜は上面が開口され内周部には複数の攪拌羽根が備えられ、斜め上向きに回転が自由に行えるようセットされ、その回転動力源にはぜんまいを用い、その反発力を動力源とする機械的駆動力を傘歯車を介して回転乾燥釜に伝達して回転するようになし、この回転乾燥釜の下方部をガスバーナ等の加熱手段で加熱することにより、投入された生ごみを攪拌乾燥処理する。
上記回転乾燥釜で乾燥処理された乾燥生ごみを人的トルクで粉砕処理する手動粉砕手段として、一対の歯車状ローラを噛合せた圧縮粉砕ローラを用い、この圧縮粉砕ローラの一方のローラ軸に備えたハンドルを手動で回転操作することにより、圧縮粉砕ローラ上に投入された乾燥生ごみを圧縮粉砕処理する。この粉砕処理は人間の意志によりトルク調整が自由に行える人的トルクで行うため、たとえば、乾燥生ごみの軟、硬等に容易に対処できる。
【０００８】
また、上記回転駆動手段による回転乾燥釜の回転を間欠回転する回転規制手段として、回転乾燥釜の外周部に複数の突出部を等間隔に備え、この突出部により回転乾燥釜に規制杆を介してばね抵抗を付与することによって回転乾燥釜が間欠回転する構造として生ごみを効率的に乾燥処理する。
【０００９】
さらに、上記手動粉砕手段の粉砕処理動作時に上記回転駆動手段のぜんまいを巻き込んでその動力を蓄蔵する連動手段として、上記回転乾燥釜の回転駆動軸に遊転自由に備えた歯車と、上記圧縮粉砕ローラの一方のローラ軸にトルククラッチを介して備えた歯車とを噛合せ、乾燥生ごみの粉砕時にぜんまいが巻き込まれる構造としてその都度ぜんまいを巻き込む手間を省く。
【００１０】
そこで、厨房で発生する調理屑、食べ残し等の生ごみを乾燥粉砕処理するにあたり、先ず、回転乾燥釜内に生ごみを投入した後、ぜんまいを動力源とする機械的駆動力により回転乾燥釜を回転するとともに、ガスバーナ等の加熱源でこれを加熱して生ごみを回転乾燥釜の回転規制手段による間欠回転と相まって効率的に攪拌乾燥処理する。
次いで、上記回転乾燥釜で乾燥処理された乾燥生ごみを手動粉砕手段としての圧縮粉砕ローラ上に移し、ハンドルを手動で回転操作して圧縮粉砕ローラで乾燥生ごみを圧縮粉砕する。この圧縮粉砕ローラによる乾燥生ごみの圧縮粉砕と同時に連動手段としての歯車機構を介してぜんまいを巻き込んで次の処理動作のための動力を蓄蔵する。
【００１１】
以上の生ごみの乾燥粉砕処理において、回転乾燥釜を回転する動力源にぜんまいを用い、加熱手段のガスバーナの燃料ガスにカセットガスボンベを使用し、かつ、乾燥生ごみの粉砕処理には人間の意志によりトルク調整が自由に行える人的トルクを用いたので、特に、家庭用の厨芥処理装置として実用価値の高いものである。
【００１２】
以上この発明の実施の形態の一例について説明したが、この発明はこうした実施の形態に何ら限定されるものではなく、この発明の要旨を逸脱しない範囲において様々な形態で実施しうることは勿論である。
【００１３】
【実施例】
以上説明したこの発明の構成、作用、実施の形態を一層明確にするために、この発明の厨芥処理装置を具体的に示した実施例について図面を参照して説明する。
【００１４】
図１〜図５において、１は回転乾燥釜で、上面が開口１ａされ内周部には複数の攪拌羽根１ｂを備え、金属又は合成樹脂等の耐熱物質で作られている。この回転乾燥釜１は機体Ａ内の上部に回転が自由に行えるよう斜め上向きに傾斜して設置するものであるが、回転乾燥釜１を機体Ａ内の上部に脱着自由に備えて回転乾燥釜１に生ごみを投入した後、機体Ａ内にセットし、乾燥処理終了後はこれを機外に取り出しできるようにするほか（図示せず）、図示した実施例のように回転乾燥釜１を機体Ａ内の上部に予め設置し、回転乾燥釜１の回転に支障がないようにその開口１ａを覆って設けられた固定蓋２に生ごみ投入口２ａを備え、この生ごみ投入口２ａから回転乾燥釜１への生ごみの投入と乾燥された生ごみの回転乾燥釜１からの取り出しができるようにしてもよい。２ｂは生ごみ投入口２ａの蓋、３は機体Ａの前面上部に設けた開口で、回転乾燥釜１のセット用口又は生ごみの出し入れ口となるもので、片開き状の蓋３ａを備えている。また、４は排気用煙突で、上記固定蓋２に接続され、その排気トップ４ａを機体Ａの上部に突出させ、その途中には脱臭用触媒５を備えている。
【００１５】
６は上記回転乾燥釜１内に投入された生ごみ７を加熱乾燥する加熱手段で、この加熱手段として実施例はガスバーナを用い、ガスバーナ６を上記回転乾燥釜１の下方部に設置して燃焼させることにより回転乾燥釜１内の生ごみ７を加熱して乾燥するようにしている。なお、上記ガスバーナ６の燃料ガスとしてはカセットガスボンベを用い、後述するぜんまい８を動力源とすることと相まって屋外設置タイプの家庭用厨芥処理装置として使用できるようにする。
【００１６】
８はぜんまい（渦巻状のばね）を動力源とする機械的駆動力で上記回転乾燥釜１を回転する回転駆動手段で、この回転駆動手段としてのぜんまい８はその内端８ａを回転駆動軸９に固定し外端８ｂは後述する連動手段２ｂの平歯車２９にスリット穴８ｃを介してスライド可能に備えられたピン８ｄに固定してぜんまい８を固定内端８ａに対し可動外端８ｂを回動することで巻き込み縮圧できるようになし（図４参照）、このぜんまい８の反発力（ばね力）を回転駆動軸９に回転力として伝え、回転駆動軸９の回転力を回転駆動軸９に固定した傘歯車１０と回転乾燥釜１の回転軸１１に固定した傘歯車１２を介して回転乾燥釜１に伝達し、回転乾燥釜１を回転駆動軸９→、傘歯車１０、１２→回転軸１１の経路を経てぜんまい８で所定の方向へ所定の速度で回転するようになしている。
上記回転駆動軸９には回転乾燥釜１の回転をロックするロック機構２８を設けて生ごみ乾燥時はそのロックを外して回転乾燥釜１の回転を可能とし、乾燥終了後は回転乾燥釜１をロックしてその回転を阻止するようにしている。
【００１７】
１３は乾燥生ごみを人的トルクで粉砕処理する手動粉砕手段で、一対の歯車状ローラ１３ａ、１３ｂを噛合せた圧縮粉砕ローラで構成され（図３参照）、一方のローラ軸１４を延長して機体Ａの背面に突出した軸１４ａにハンドル１５を備え、このハンドル１５を手動で所定の方向へ回転操作することにより、圧縮粉砕ローラ１３の一対の歯車状ローラ１３ａ、１３ｂは相互に噛合っているため、これらは内方（反対方向）へ回転し、圧縮粉砕ローラ１３上に投入された乾燥生ごみ１７をその噛合部分で圧縮粉砕するようになっている。なお、１６は機体Ａの前面中程に設けた乾燥生ごみ投入口で、この投入口１６から投入される乾燥生ごみ１７は案内シュート１８を介して上記圧縮粉砕ローラ１３上に供給されるようになっている。１６ａは上記乾燥生ごみ投入口１６を開閉する蓋で、片開き状に開閉できるように備えられている。
【００１８】
上記圧縮粉砕ローラ１３で粉砕処理された乾燥生ごみ２７は、圧縮粉砕ローラ１３の下部に備えられたごみ箱１９内に落下収納されるようになっている。このごみ箱１９は機体Ａの前面下部に設けたごみ箱出し入れ口２０から出し入れできるようになっている。２０ａは上記ごみ箱出し入れ口２０を開閉する蓋で、片開き状に開閉できるように備えられている。なお、上記ごみ箱１９にごみ袋（たとえば、ポリ袋）を入れ、このごみ袋に粉砕処理された乾燥生ごみ２７が落下収納されるようにすると、ごみ箱を出し入れすることなくごみ袋だけを取り替えればよいので便利である。また、上記ごみ箱設置室には、図示しないが予備のごみ箱収納部を設けるとよい。
【００１９】
２１は上記回転駆動手段８による回転乾燥釜１の回転を間欠回転する回転規制手段で、回転乾燥釜１の外周部に複数の突出部２２を等間隔に備え、この突出部２２で基端を支軸２３により枢支して揺動自由とした規制杆２４の先端部を持上げるようになし、かつ、この規制杆２４をばね２５で突出部２２側へ押圧した構造として、突出部２２により回転乾燥釜１に規制杆２４を介してばね抵抗を付与することにより回転乾燥釜１が間欠回転するようになっている（図５参照）。
【００２０】
２６は上記手動粉砕手段１３の粉砕動作時に上記回転駆動手段のぜんまいを巻き込み縮圧して動力を蓄蔵する連動手段で、上記回転乾燥釜１の回転駆動軸９に遊転自由に備えられた平歯車２９を上記圧縮粉砕ローラ１３の一方のローラ軸１４に、一定のトルク、すなわち、ぜんまい８の巻き込み縮圧が完了して一定の負荷がかかるとクラッチが外れて空転するトルククラッチ３０を介して備えられた平歯車３１と噛合せてなる歯車機構からなり、上記手動粉砕手段による粉砕動作と同時に上記歯車機構を介してぜんまい８を巻き込むようになっている。
【００２１】
図中３２は操作パネルで、機体Ａの前面に設けられ、運転開始時に上記ロック機構２８による回転乾燥釜１のロックを解除するロック解除ボタン３２ａとロックボタン３２ｂ、ガスバーナ６の点滅操作ボタン３２ｃ等を備えている。
【００２２】
上記構成において、運転停止時は、ぜんまい８は一杯まで巻き込み縮圧されて次の運転のために動力を蓄蔵して待機している。そこで、生ごみの乾燥処理を行う場合、機体Ａの生ごみ出し入れ口３をその蓋３ａを開いて開放し、調理屑、食べ残し等の生ごみを投入した回転乾燥釜１を機体Ａ内に挿入セットして蓋３ａを閉めるか、又は機体Ａ内に予め設置されている回転乾燥釜１内に固定蓋２の生ごみ投入口２ａの蓋２ｂを開いて調理屑、食べ残し等の生ごみ７を投入して生ごみ投入口２ａの蓋２ｂと生ごみ出し入れ口３の３ａを閉める。
【００２３】
その後、操作パネル３２のロック解除ボタン３２ａと点滅操作ボタン３２ｃを操作してロック機構２８による回転乾燥釜１のロックを解き、ぜんまい８の動力を回転乾燥釜１に回転駆動軸９→、傘歯車１０、１２→回転軸１１の経路を経て伝達して回転乾燥釜１を回転すると同時にガスバーナ６に着火して回転乾燥釜１内の生ごみ７を攪拌羽根１ｂの作用と相まって上下に反転攪拌しながら加熱乾燥する。
上記攪拌乾燥処理において、回転乾燥釜１には突出部２２により規制杆２４を介してばね２５によるばね抵抗が付与されて回転乾燥釜１は間欠回転する。すなわち、回転乾燥釜１に突出部２２によるばね抵抗が付与されたときは、回転乾燥釜１の回転は抑制されるが、ぜんまい８の動力がそれに打ち勝って回転乾燥釜１は静止状態に近いゆっくりの回転となり、突出部２２によるばね抵抗が解かれると通常の回転となる。したがって、回転乾燥釜１内の生ごみ７は静止状態に近いときに上下反転した新しい部分を十分に乾燥するに必要な時間がとれるため、生ごみ７の攪拌乾燥処理が効率的に行われる。そして、乾燥排気は排気用煙突４から機外の大気に放出されるが、発生臭気は途中の触媒５により脱臭される。
【００２４】
上記回転乾燥釜１による所定時間の攪拌乾燥処理が終了すると、操作パネル３２のロックボタン３２ｂと点滅操作ボタン３２ｃを操作して回転乾燥釜１の回転をロック機構２８により停止すると同時にガスバーナ６を消火する。
その後、一定の時間を置いて回転乾燥釜１内の乾燥された生ごみが冷却してから、生ごみ出し入れ口３の蓋３ａを開き、かつ、生ごみ投入口２ａの蓋２ｂを開いて回転乾燥釜１内の乾燥生ごみ１７を取り出し、乾燥生ごみ投入口１６から案内シュート１８を介して圧縮粉砕ローラ１３上に投入する。
上記乾燥生ごみ１７の圧縮粉砕ローラ１３上への投入が適量に達したところで、その投入を停止し、機体Ａ背面のハンドル１５を手動で所定の方向へ回転操作して圧縮粉砕ローラ１３を回転し乾燥生ごみ１７を圧縮粉砕ローラ１３で圧縮粉砕する。すなわち、ハンドル１５を図示時計方向へ回転操作すると、一対の歯車状ローラ１３ａ、１３ｂは相互に噛合っているため、内方（反対方向）に回転し乾燥生ごみ１７は一対の歯車状ローラ１３ａ、１３ｂ間に喰い込みその噛合部分で圧縮粉砕されて下方に落下する。
上記動作により回転乾燥釜１内の乾燥生ごみ１７を圧縮粉砕ローラ１３で人的トルクにより圧縮粉砕処理し、減量化して直下のごみ箱１９内に収納する。この粉砕処理には人間の意志によりトルク調整が自由な人的トルクを用いたので、たとえば、軟かい乾燥生ごみの場合は小さい力で粉砕でき、硬い乾燥生ごみの場合は大きい力で粉砕できるから生ごみの種類に容易に対処できる利便がある。
【００２５】
上記圧縮粉砕ローラ１３による乾燥生ごみ１７の圧縮粉砕処理が完了すると乾燥生ごみ投入口１６の蓋１６ａを閉め、ごみ箱出し入れ口２０の蓋２０ａを開いてごみ箱１９内に収納されている圧縮粉砕処理された乾燥生ごみ２７をごみ箱１９とともにごみ箱出し入れ口２０から機外に取り出して廃棄し、空のごみ箱１９をごみ箱出し入れ口２０から機体Ａ内に再び挿入設置して蓋２０ａを閉めることにより、一連の生ごみ乾燥粉砕処理が終了する。
【００２６】
上記乾燥生ごみ１７の圧縮粉砕ローラ１３による圧縮粉砕処理時にハンドル１５を図示時計方向へ回転すると、ローラ軸１４とトルククラッチ３０を介して連結されている平歯車３１も共転し、この平歯車３１と噛合っている平歯車２９を回転して平歯車２９にスリット穴８ｃを介して備えたピン８ｄでぜんまい８の外端８ｂを回動してぜんまい８を巻き込み縮圧する。ぜんまい８の巻き込み縮圧が一杯になると、トルククラッチがその負荷により空転し、その後は上記圧縮粉砕ローラ１３だけの回転が可能となって、上記乾燥生ごみ１７の圧縮粉砕処理だけが引き続き行いうる。したがって、ぜんまい８の巻き込み縮圧は常に一杯まで行えるため、回転乾燥釜１を回転駆動する動力が不足することはない。
【００２７】
【発明の効果】
以上説明したこの発明の第１の厨芥処理装置は、厨房で発生する調理屑、食べ残し等の生ごみの乾燥処理と併せてその粉砕処理を人的トルクで行いうるようにしたから、特に、乾燥生ごみの粉砕処理に人的トルクを用いたので、そのトルク調整が自由なことと相まって生ごみの乾燥処理による軽量化と粉砕処理による減量化とが容易に実現できる簡便で安価な厨芥処理装置が提供できる。
【００２８】
また、この発明の第２の厨芥処理装置は、回転乾燥釜を間欠回転させて攪拌で上下反転した生ごみの新しい部分の乾燥する時間がとれるようにしたから、生ごみの乾燥処理が効率的に行える。
【００２９】
さらに、この発明の第３の厨芥処理装置は、手動粉砕手段の粉砕動作と同時に回転駆動手段のぜんまいを巻き込み縮圧してその動力を蓄蔵するから、その都度ぜんまいを巻き込む手間が省ける利便がある。
【００３０】
この発明の厨芥処理装置は以上説明したように、加熱手段のガスバーナの燃料ガスとしてカセットガスボンベを用い、回転乾燥釜の回転駆動にぜんまいを用い、かつ、乾燥生ごみの粉砕にはトルク調整自由な人的トルクを用いたから、屋外設置タイプの家庭用厨芥処理装置として有効に使用できるものである。
【図面の簡単な説明】
【図１】この発明の厨芥処理装置の一実施例を示した全体断面図である。
【図２】その正面図である。
【図３】手動粉砕手段の部分だけを示した断面図である。
【図４】回転駆動手段の部分だけを示した断面図である。
【図５】回転規制手段の部分だけを示した断面図である。
【符号の説明】
１…回転乾燥釜、６…ガスバーナ、８…ぜんまい、１３…圧縮粉砕ローラ、２１…回転規制手段、２６…連動手段。
【図１】
0003577650.tif 000002
【図２】
0003577650.tif 000003
【図３】
0003577650.tif 000004
【図４】
0003577650.tif 000005
【図５】
0003577650.tif 000006